(57)【要約】【課題】落下試験しても熱交換器同士間に隙間が発生することのない空気調和機の提供。【解決手段】二つの熱交換器ブロック４ａ、４ｂの上部を突き合わせて送風ファンの前面側と背面側を覆うように構成するとともに、前記熱交換器ブロック４ａ、４ｂはその上部を突き合せた状態で連結部材２０により連結した構成としてある。これにより、落下試験時に熱交換器ブロック４ａ、４ｂの上部が変形しても各熱交換器ブロック４ａ、４ｂの変形量は同じとなって両者間に隙間が発生することがなくなる。よって、隙間を介して熱交換されない空気が流れるのを防止でき、空調等の熱交換性能の低下のない空気調和機とすることができる。【選択図】図４
2020118366.tif 000002
【特許請求の範囲】
【請求項１】
室内機本体と、前記室内機本体内に設けた熱交換器及び送風ファンとを備え、前記熱交換器は二つの熱交換器ブロックの上部を突き合わせて前記送風ファンの前面側と背面側を覆うように構成するとともに、前記熱交換器ブロックは複数の伝熱流路を有するプレートフィンを多数積層して構成し、且つ、前記熱交換器ブロックはその上部を突き合せた状態で連結部材により連結した空気調和機。
【請求項２】
前記連結部材を、前記熱交換器ブロックの突合せ部に跨るように配置し、かつ、前記連結部材と前記熱交換器ブロックとの突合せ部の双方に透孔を設け、前記連結部材の透孔と前記プレートフィンの透孔とを合致させ、当該合致させた透孔に連結部材軸を挿通させて二つの熱交換器ブロックを連結した請求項１に記載の空気調和機。
【請求項３】
前記各熱交換器ブロックのプレートフィン同士を嵌合部にて嵌合させ、前記嵌合部に設けた透孔に連結部材軸を挿通させて前記各熱交換器ブロックを相互に連結した請求項１記載の空気調和機。
【請求項４】
前記二つの熱交換器ブロックは、積層した多数のプレートフィンにエンドプレートを締結固定する締結手段を備え、前記二つの熱交換器ブロックの締結手段同士の間に断面略コ字状のステープラーを嵌め込んで二つの熱交換器ブロックを連結した請求項１記載の空気調和機。
【発明の詳細な説明】
【技術分野】
【０００１】
本発明はプレートフィン積層型熱交換器を用いた空気調和機に関する。
【背景技術】
【０００２】
一般に空気調和機は、圧縮機によって圧縮した冷媒を凝縮器や蒸発器等の熱交換器に循環させ第２流体と熱交換させて冷房もしくは暖房を行うが、前記熱交換器の熱交換効率によって空気調和機としての性能や省エネ性が大きく左右される。従って、熱交換器は高効率化が強く求められている。
【０００３】
このような中にあって、空気調和機の熱交換器は、一般的には、フィン群に伝熱管を貫通させて構成したフィンチューブ型熱交換器を用いており、伝熱管の細径化を図って熱交換効率の向上及び小型化が進められている。
【０００４】
しかしながら、上記伝熱管の細径化には限度があるため、熱交換効率の向上及び小型化は限界に近づきつつある。
【０００５】
一方、熱エネルギーを交換するために使用される熱交換器の中には、流路を有するプレートフィンを積層して構成したプレートフィン積層型熱交換器が知られている。
【０００６】
このプレートフィン積層型熱交換器は、プレートフィンに形成された流路を流れる冷媒と、積層されたプレートフィンの間を流れる第２流体との間で熱交換を行うもので、冷媒圧力の低い車両用の空気調和機において使用されている（特許文献１参照）。
【０００７】
図１４、図１５は上記特許文献１記載のプレートフィン積層型熱交換器を示し、この熱交換器１００は、冷媒が流れる流路１０１（図１５参照）を有するプレートフィン１０２を積層したプレートフィン積層体１０３の両側部にエンドプレート１０４を積層配置し、前記流路１０１の左右両端部に流入側ヘッダ流路１０５及び流出側ヘッダ流路１０６を形成して構成してある。
【先行技術文献】
【特許文献】
【０００８】
【特許文献１】実用新案登録第３１９２７１９号公報
【発明の概要】
【発明が解決しようとする課題】
【０００９】
上記特許文献１記載のプレートフィン積層型熱交換器は、プレートフィン１０２に凹状溝をプレス成形して流路１０１を形成しているので、当該流路１０１の断面積をフィンチューブ型の伝熱管に比べさらに小さくでき、熱交換効率を高めることができる。
【００１０】
しかしながら、上記構成のプレートフィン積層型熱交換器は多数積層したプレートフィン１０２をロー付けのみで一体化して構成しているため、従来のフィンチューブ型熱交換器のように伝熱管で積層フィンを連結したもの、すなわち伝熱管が熱交換器の長尺寸法方向に貫通して当該伝熱管が強度メンバーとしても働くフィンチューブ型熱交換器に比べ剛性が弱い。
【００１１】
そのために、このプレートフィン積層型熱交換器を家庭及び業務用の空気調和機に搭載した場合、熱交換器１００の剛性が弱いことに起因する新たな課題が発生する。
【００１２】
例えば、プレートフィン積層型熱交換器を家庭用の空気調和機に搭載した場合、その熱交換器は特開２０１６−２１８９９３号公報等（図１６参照）に示されるように二つの熱交換器ブロック１１０ａ、１１０ｂをその上部で突き合わせて送風ファン１１１の背面側と前面側を覆うように配置することになるが、この場合、空気調和機に課せられている背面落下試験をすると、その落下衝撃によって図１７、図１８の破線で示すように前面側熱交換器ブロック１１０ａ及び背面側熱交換器ブロック１１０ｂが変形する。そして、上記前面側熱交換器ブロック１１０ａと背面側熱交換器ブロック１１０ｂの上端の突合せ部同士間に図１８に示す如く隙間Ｔが発生し、その隙間Ｔを介して熱交換されない空気Ｚがそのまま送風ファン１１１に吸い込まれて空調後の空気Ｙのように室内に吹き出され、空調性能を低下させる、という課題が発生する。
【００１３】
本発明はこのような点に鑑みてなしたもので、落下試験しても熱交換器同士間に隙間が発生することのない空気調和機を提供することを目的としたものである。
【課題を解決するための手段】
【００１４】
本発明は、上記目的を達成するため、熱交換器を構成する熱交換器ブロックはその上部を突き合せた状態で連結部材により連結した構成としてある。
【００１５】
これにより、落下試験時に熱交換器ブロックの上部が変形しても各熱交換器ブロックの変形量は同じとなって両者間に隙間が発生することがなくなる。よって、隙間を介して熱交換されない空気が流れるのを防止でき、空調等の熱交換性能の低下を防止してプレートフィン積層型熱交換器が持つ高い熱交換効率を生かしつつ高性能な空気調和機とすることができる。
【発明の効果】
【００１６】
本発明は、上記構成により、プレートフィンを積層して構成した熱交換器ブロックを突き合わせて構成していても、二つの熱交換器ブロックの突合せ部分に隙間が生じて熱交換されない空気が流れるのを防止でき、空調等の熱交換性能が高い空気調和機を提供することができる。
【図面の簡単な説明】
【００１７】
【図１】本発明の実施の形態１におけるプレートフィン積層型熱交換器を搭載した空気調和機の室内機を示す斜視図
【図２】同室内機の断面図
【図３】同室内機に搭載したプレートフィン積層型熱交換器の分解斜視図
【図４】同プレートフィン積層型熱交換器とこれを保持する機器本体構成部品を示す斜視図
【図５】同プレートフィン積層型熱交換器の側面図
【図６】同プレートフィン積層型熱交換器にける熱交換器ブロックの突き合わせ部を示す側面図
【図７】同プレートフィン積層型熱交換器にける熱交換器ブロックの突き合わせ部の連結構成を示す拡大側面図
【図８】本発明の実施の形態２における空気調和機に搭載したプレートフィン積層型熱交換器における熱交換器ブロックの突き合わせ部を示す側面図
【図９】同プレートフィン積層型熱交換器にける熱交換器ブロックの突き合わせ部の連結構成を示す拡大側面図
【図１０】本発明の実施の形態３における空気調和機に搭載したプレートフィン積層型熱交換器における熱交換器ブロックの突き合わせ部を示す側面図
【図１１】同プレートフィン積層型熱交換器にける熱交換器ブロックの突き合わせ部の連結構成を示す拡大斜視図
【図１２】本発明の実施の形態４における空気調和機に搭載したプレートフィン積層型熱交換器における熱交換器ブロックの突き合わせ部を示す側面図
【図１３】同プレートフィン積層型熱交換器にける熱交換器ブロックの突き合わせ部の連結構成を示す拡大側面図
【図１４】従来のプレートフィン積層型熱交換器の断面図
【図１５】同従来のプレートフィン積層型熱交換器におけるプレートフィンの平面図
【図１６】従来の空気調和機を示す断面図
【図１７】本出願人が提案するプレートフィン積層型熱交換器の課題説明用の斜視図
【図１８】同本出願人が提案するプレートフィン積層型熱交換器の課題説明用の作用説明図
【発明を実施するための形態】
【００１８】
第１の発明は、室内機本体と、前記室内機本体内に設けた熱交換器及び送風ファンとを備え、前記熱交換器は二つの熱交換器ブロックの上部を突き合わせて前記送風ファンの前面側と背面側を覆うように構成するとともに、前記各熱交換器ブロックは複数の伝熱流路を有するプレートフィンを多数積層して構成し、且つ、前記熱交換器ブロックはその上部を突き合せた状態で連結部材により連結した構成としてある。
【００１９】
これにより、落下試験時に熱交換器ブロックの上部が変形しても各熱交換器ブロックの変形量は同じとなって両者間に隙間が発生することがなくなる。よって、隙間を介して熱交換されない空気が流れるのを防止でき、空調等の熱交換性能の低下を防止してプレートフィン積層型熱交換器が持つ高い熱交換効率を生かしつつ高性能な空気調和機とすることができる。
【００２０】
第２の発明は、第１の発明において、前記連結部材を、前記熱交換器ブロックの突合せ部に跨るように配置し、かつ、前記連結部材とプレートフィンの突合せ部の双方に透孔を設け、前記連結部材の透孔と前記プレートフィンの透孔を合致させ、当該合致させた透孔に連結部材軸を挿通させて二つの熱交換器ブロックを連結した構成としてある。
【００２１】
これにより、二つの熱交換器ブロックを強固に連結することができ、二つの熱交換器ブロックの突き合わせ部分に隙間が生じるのを確実に防止することができる。
【００２２】
第３の発明は、第１の発明において、前記各熱交換器ブロックのプレートフィン同士を嵌合部にて嵌合させ、前記嵌合部に設けた透孔に連結部材軸を挿通させて前記各熱交換器ブロックを連結した構成としてある。
【００２３】
これにより、二つの熱交換器ブロックを連結部材軸だけで相互に連結することができ、簡単な構成で二つの熱交換器ブロックの突き合わせ部分に隙間が生じるのを防止することができる。
【００２４】
第４の発明は、第１の発明において、前記二つの熱交換器ブロックは、積層した多数のプレートフィンを締結する締結手段を備え、前記締結手段同士を断面略コ字状のステープラーで連結して前記二つの熱交換器ブロックを連結した構成としてある。
【００２５】
これにより、積層した多数のプレートフィンを締結する締結手段を利用して二つの熱交換器ブロックを強固に固定することができ、簡素な構成で二つの熱交換器ブロックの突き合わせ部分に隙間が生じるのを防止することができる。
【００２６】
以下、本発明の実施の形態について、添付の図面を参照しながら説明する。
【００２７】
なお、本開示の熱交換器は、以下の実施形態に記載したプレートフィン積層型熱交換器の構成に限定されるものではなく、以下の実施形態において説明する技術的思想と同等の熱交換器の構成を含むものである。つまり、以下で説明する実施形態は、本発明の一例を示すものであって、実施形態において示される構成、機能、動作などは、例示であり、本開示を限定するものではない。
【００２８】
（実施の形態１）
本実施の形態１の空気調和機は、室内機と室外機が冷媒配管及び制御配線等により互いに接続された、所謂セパレート型の空気調和機である。室内機と室外機によりヒートポンプが構成されており、室外機には圧縮機が設けられている。実施の形態１の空気調和機における室内機は、室内の壁面に取り付ける壁掛け式室内機である。
【００２９】
図１は本発明の実施の形態１におけるプレートフィン積層型熱交換器を搭載した空気調和機の室内機を示す斜視図、図２は同室内機の断面図、図３は同室内機に搭載したプレートフィン積層型熱交換器の分解斜視図、図４は同プレートフィン積層型熱交換器とこれを保持する機器本体構成部品を示す斜視図、図５は同プレートフィン積層型熱交換器の側面図、図６は同プレートフィン積層型熱交換器にける熱交換器ブロックの突き合わせ部を示す側面図、図７は同プレートフィン積層型熱交換器にける熱交換器ブロックの突き合わせ部の連結構成を示す拡大側面図である。
【００３０】
本実施の形態における空気調和機の室内機１は、図１、図２に示すように、上面に開口部２ａを有する室内機本体２と、室内機本体２の前面を覆う前面パネル３とを備えている。
【００３１】
室内機本体２の内部には、図２に示すように、開口部２ａから取り入れた室内空気を熱交換する熱交換器４と、熱交換器４で熱交換された空気を室内に吹き出すための風力源である送風ファン５とが設けられている。送風ファン５は、室内機本体２の下方に設けられた吹出口６を通じて室内に空気を吹き出すように設けられている。また、室内機本体２の前記送風ファン５下流側から吹出口６に至る通風路７には、吹出口６を開閉するとともに空気の吹き出し方向を上下に変更する上下風向変更羽根８と、空気の吹き出し方向を左右に変更する左右風向変更羽根９とが設けられている。
【００３２】
また、前記室内機本体２の開口部２ａと熱交換器４との間には、開口部２ａから取り入れた室内空気に含まれる塵埃を除去するためのフィルタ１０が設けられている。なお、本実施の形態にかかる空気調和機は、フィルタ１０の網部分に付着した塵埃を自動的に清掃するフィルタ掃除ユニット１１を備えている。
【００３３】
空気調和機が空調運転を開始すると、上下風向変更羽根８が開制御されて吹出口６が開放される。この状態で送風ファン５が駆動されることで、室内空気が開口部２ａを介して室内機の内部に取り入れられる。取り入れられた室内空気は、熱交換器４で熱交換され、送風ファン５を通過し、送風ファン５の送風方向の下流側に形成された通風路７を通過して、吹出口６より吹き出される。
【００３４】
上記室内空気と熱交換する熱交換器４は、図３に示すように、略弓型形状のプレートフィン１２を積層して構成したプレートフィン積層体１３の両側に平面視が略同一形状のエンドプレート１４、１４をロー付けにより接合一体化して構成している。そして、略弓型長方形状の一端部側に、蒸発器として用いる場合には入口となり凝縮器として用いる場合は出口となるヘッダ流路管Ａ１５及びその逆となるヘッダ流路管Ｂ１６とを有している。
【００３５】
上記プレートフィン積層体１３の両側のエンドプレート１４、１４は、更にプレートフィン積層体１３を挟持した形でボルト・ナット若しくはカシメピン軸等の締結手段１７によりプレートフィン積層体１３に締結固定して、熱交換器４としての剛性をサポートしている。
【００３６】
また、プレートフィン積層体１３を構成するプレートフィン１２は、冷媒が流れる伝熱流路１８を有し、多数積層して各プレートフィン１２同士の間に空気が流れる積層間隔を形成している。そして、上記プレートフィン１２に設けた前記伝熱流路１８を流れる冷媒と各プレートフィン１２同士の間の積層間隙を流れる空気との間で熱交換する。
【００３７】
なお、本実施の形態では上記熱交換器４は、図４に示すように、複数、この例では二つのプレートフィン積層型の熱交換器部４−１、４−２の端部を合わせ、この各熱交換器部４−１、４−２を貫通する形で締結手段１７を通して連結一体化することにより構成してあり、室内機１の長手方向にマッチした長さの熱交換器４としてある。
【００３８】
上記のように構成したプレートフィン積層型の熱交換器４は、図２に示すように、二つの熱交換器ブロック４ａ、４ｂをその上部で突き合わせて送風ファン５の背面側と前面側を覆うよう逆Ｖ字型状に配置し、室内機本体２の背面側を構成する本体構成部品としての熱交取付枠１９に取り付けて室内機本体２内に設けてある。
【００３９】
そして、上記二つの熱交換器ブロック４ａ、４ｂは、図４に示すように、熱交換器ブロック４ａ、４ｂの上部からその突合せ部双方のエンドプレート１４もしくはプレートフィン１２同士間に跨がるように連結部材２０を嵌合させ、この連結部材２０を介して連結してある。詳述すると、連結部材２０は断面略コ字状に形成してあり、一点鎖線矢印で示すように熱交換器ブロック４ａ、４ｂの長手方向数か所のプレートフィン１２もしくはエンドプレート１４同士間に嵌合させてある。そして、上記熱交換器ブロック４ａ、４ｂのエンドプレート１４もしくはプレートフィン１２を嵌合挟持することになる連結部材２０の挟持片部２０ａには図７に示すように透孔２１が設けてある。一方、前記連結部材２０の透孔２１と対向する前記熱交換器ブロック４ａ、４ｂのエンドプレート１４及びプレートフィン１２にも同様の透孔２２が設けてある。そして、上記連結部材２０の透孔２１とプレートフィン１２もしくはエンドプレート１４の透孔２２とを合致させ、この合致させた透孔２１、２２に連結部材軸２３を挿通させて二つの熱交換器ブロック４ａ、４ｂを連結してある。
【００４０】
なお、この例では連結部材２０は熱交換器ブロック４ａ、４ｂの長手方向に適宜間隔を置いて複数設けたものを例示しているが、この連結部材２０の数と設置位置は落下試験の結果の隙間発生状況等に基づき適宜決定すればよい。
【００４１】
或いはまた、連結部材２０は図４の一点破線の図番２０で示すように熱交換器ブロック４ａ、４ｂの長手方向全域もしくは熱交換器部４−１、４−２の長手方向全域に跨る長さを持つ連結部材２０としてもよいものである。
【００４２】
また、連結部材軸２３は前記したプレートフィン積層体１３の両側にエンドプレート１４、１４を締結固定するボルト等の締結手段１７を利用して構成してもよいものである。
【００４３】
なお、本実施の形態では連結部材２０と締結手段１７とは別の場合を例示しており、図７等に示す図番２４はプレートフィン１２、エンドプレート１４を積層状態で連結固定するボルト若しくはカシメピン軸等の締結手段１７を通す締結固定用孔を示す。
【００４４】
次に上記のように構成した空気調和機において、その作用効果を説明する。
【００４５】
本実施の形態の空気調和機は、空調運転を開始すると、送風ファン５が駆動され、室内空気が開口部２ａを介して室内機の内部に取り入れられる。取り入れられた室内空気は、熱交換器４で熱交換され、送風ファン５を通過し、送風ファン５の送風方向の下流側に形成された通風路７を通過して、解放された吹出口６より吹き出される。
【００４６】
このように動作する空気調和機は出荷前に本体背面を下方にして落下試験が行われる。
【００４７】
ここで、上記空気調和機に搭載した熱交換器４の熱交換器ブロック４ａ、４ｂは、既述したようにプレートフィン１２を多数積層してロー付け等で接合一体化して構成したものであるから剛性が弱く、熱交換器ブロック４ａ、４ｂの上部の突合せ部分が落下衝撃で変形することがある。
【００４８】
しかしながら、本実施の形態の熱交換器４の熱交換器ブロック４ａ、４ｂは、突合せ部を連結部材２０で連結しているので、仮に変形するようなことがあっても両方の熱交換器ブロック４ａ、４ｂが同じように変形する。つまり、両方の熱交換器ブロック４ａ、４ｂの変形量が同じとなり、両者間に隙間が発生することがなくなる。よって、隙間を介して熱交換されない空気が流れるのを防止でき、空調等の熱交換性能の低下を防止できる。
【００４９】
特に本実施の形態では上記各熱交換器ブロック４ａ、４ｂは、二つの熱交換器部４−１、４−２同士を連結して構成しているので、熱交換器４全体としては長くても一つ一つの熱交換器部４−１、４−２は長さが短いので、落下衝撃による突合せ部の変形量を少なくすることができる。よって、熱交換器ブロック４ａ、４ｂの突合せ部変形による隙間発生を効果的に抑制して高い熱交換性能を確保することができる。
【００５０】
（実施の形態２）
図８は実施の形態２における空気調和機に搭載したプレートフィン積層型熱交換器における熱交換器ブロックの突き合わせ部を示す側面図、図９は同熱交換器ブロックの突き合わせ部の連結構成を示す拡大側面図である。
【００５１】
本実施の形態は、前記実施の形態１で示した連結部材の変形例であり、この連結部材２００は両端部分に挟持片部２２０ａを設けた構成としてある。そして、上記挟持片部２２０ａを熱交換器ブロック４ａ、４ｂのエンドプレート１４あるいはプレートフィン１２に嵌合させて，両熱交換器ブロック４ａ、４ｂを連結する構成としてある。
【００５２】
本実施の形態においても、前記実施の形態１と同様、落下試験しても熱交換器ブロック４ａ、４ｂの突合せ部分に隙間が発生するのを防止できる。
【００５３】
その他詳細な構成、作用効果は実施の形態１と同様であり、説明は省略する。
【００５４】
（実施の形態３）
図１０は実施の形態３における空気調和機に搭載したプレートフィン積層型熱交換器における熱交換器ブロックの突き合わせ部を示す側面図、図１１は同熱交換器ブロックの突き合わせ部の連結構成を示す拡大斜視図である。
【００５５】
本実施の形態は、各熱交換器ブロック４ａ、４ｂのプレートフィン１２同士をオーバーラップ状態に嵌合させて突き合わせ、このオーバーラップ部分に設けた透孔２２同士を合致させて当該透孔２２に連結部材軸２３を挿通させることにより二つの熱交換器ブロック４ａ、４ｂを連結した構成としてある。
【００５６】
上記構成によれば、連結部材軸２３だけで二つの熱交換器ブロック４ａ、４ｂを連結することができる。すなわち、二つの熱交換器ブロック４ａ、４ｂを連結するのに実施の形態１，２で示すような連結部材２０、２００を必要とせず、構成の簡素化を図ることができる。そして、前記実施の形態１，２と同様、二つの熱交換器ブロック４ａ、４ｂの突き合わせ部分に隙間が生じるのを防止することができる。
【００５７】
その他の構成、作用効果は実施の形態１と同様であり、説明は省略する。
【００５８】
（実施の形態４）
図１２は実施の形態４における空気調和機に搭載したプレートフィン積層型熱交換器における熱交換器ブロックの突き合わせ部を示す側面図、図１３は同熱交換器ブロックの突き合わせ部の連結構成を示す拡大側面図である。
【００５９】
本実施の形態は、プレートフィン積層体１３の両側にエンドプレート１４、１４を締結固定するボルト等の締結手段１７を利用して二つの熱交換器ブロック４ａ、４ｂを連結したものである。すなわち、一方の熱交換器ブロック４ａのボルト等からなる締結手段１７と他方の熱交換器ブロック４ｂのボルト等からなる締結手段１７との間にステープラー２５を嵌め込んで二つの熱交換器ブロック４ａ、４ｂを連結している。
【００６０】
上記構成によれば、締結手段１７を利用して二つの熱交換器ブロック４ａ、４ｂを連結するので、実施の形態１，２で示すような連結部材２０，２００と連結部材軸２３を必要とせず、より構成の簡素化を図ることができる。そして、締結手段１７はプレートフィン１２、エンドプレート１４を積層状態で連結固定するためのものであるから十分な強度を持つており、突合せ部の連結強度を高めて隙間防止効果を更に良好なものとすることができる。
【００６１】
なお、ステープラー２５は一箇所だけでなく、複数個所に設けるのが好ましく、実施の形態１、２と同様落下試験の結果によって隙間が発生しやすい場所に適宜設ければよい。
【００６２】
その他の構成、作用効果は実施の形態１と同様であり、説明は省略する。
【００６３】
以上、本発明に係る空気調和機について、上記実施の形態を用いて説明したが、本発明はこれに限定されるものではない。
【００６４】
例えば、上記実施の形態では、室内機と室外機が冷媒配管及び制御配線等により互いに接続されたセパレート型の空気調和機で説明したが、これは室内機と室外機が一体になった室内設置型の空気調和機であってもよく、この場合、室内機と室外機が一体になったものが請求項の室内機に該当するものである。
【００６５】
また、熱交換器４は複数の熱交換器部４−１、４−２を連結して長尺の熱交換器としたもので説明したが、これはプレートフィン１２を積層しただけで構成した長尺寸法の単一熱交換器としたものにも適用することができる。そして、このような単一のプレートフィン積層型熱交換器とすれば、複数の熱交換機部を連結して単一の熱交換器とする必要がないので安価に提供することができる。
【００６６】
以上のように、今回開示した実施の形態はすべての点で例示であって制限的なものではないと考えられるべきであり、本発明の範囲は特許請求の範囲によって示され、特許請求の範囲と均等の意味及び範囲内でのすべての変更が含まれるものである。
【産業上の利用可能性】
【００６７】
本発明は、プレートフィンを積層して構成した熱交換器ブロックを突き合わせて構成していても、二つの熱交換器ブロックの突合せ部分に隙間が生じて熱交換されない空気が流れるのを防止でき、プレートフィン積層型熱交換器が持つ高い熱交換効率を生かしつつ空調等の熱交換性能が高い高性能な空気調和機を提供することができる。よって、家庭用及び業務用エアコン等に幅広く利用できる。
【符号の説明】
【００６８】
１  室内機
２  室内機本体
２ａ  開口部
３  前面パネル
４  熱交換器
４ａ、４ｂ  熱交換器ブロック
５  送風ファン
６  吹出口
７  通風路
８  上下風向変更羽根
９  左右風向変更羽根
１０  フィルタ
１１  フィルタ掃除ユニット
１２  プレートフィン
１３  プレートフィン積層体
１４  エンドプレート
１５  ヘッダ流路管Ａ
１６  ヘッダ流路管Ｂ
１７  締結手段
１８  伝熱流路
１９  熱交取付枠（本体構成部品）
２０  連結部材
２０ａ  挟持片部
２１、２２  透孔
２３  連結部材軸
２４  締結固定用孔
２５  ステープラー
２００  連結部材
２２０ａ  挟持片部
２３０  連結部材軸
【図１】
2020118366.tif 000003
【図２】
2020118366.tif 000004
【図３】
2020118366.tif 000005
【図４】
2020118366.tif 000006
【図５】
2020118366.tif 000007
【図６】
2020118366.tif 000008
【図７】
2020118366.tif 000009
【図８】
2020118366.tif 000010
【図９】
2020118366.tif 000011
【図１０】
2020118366.tif 000012
【図１１】
2020118366.tif 000013
【図１２】
2020118366.tif 000014
【図１３】
2020118366.tif 000015
【図１４】
2020118366.tif 000016
【図１５】
2020118366.tif 000017
【図１６】
2020118366.tif 000018
【図１７】
2020118366.tif 000019
【図１８】
2020118366.tif 000020